(57)【要約】      （修正有）【課題】商品を陳列する陳列台等の上に載置して、誰もがプライスの表示変更操作を簡単かつ迅速に行えるようにする。【解決手段】プライスカード４の設置が可能な矩形断面の凹溝または凸条を持つプライスカード設置台１と、プライスカード４を被うように凹溝または凸条に嵌め合わせ可能な透明ブロック２と、を設けて、プライスカード設置台１の凹溝または凸条におけるプライスカード設置面が、プライスカード設置台１下面となる水平面に対し傾斜している構成である。【選択図】図１
0003129876.tif 000002
【実用新案登録請求の範囲】
【請求項１】
プライスカードの設置が可能な矩形断面の凹溝または凸条を持つプライスカード設置台と、
前記プライスカードを被うように前記凹溝または凸条に嵌め合わせ可能な透明ブロックと、
を備え、
前記プライスカード設置台の凹溝または凸条におけるプライスカード設置面が、前記プライスカード設置台底面となる水平面に対し傾斜していることを特徴とするプライス表示具。
【請求項２】
前記プライスカード設置面が、前記水平面に対して４５度の角度に傾斜していることを特徴とする請求項１に記載のプライス表示具。
【請求項３】
前記プライスカード設置面が、前記水平面に対して４５度以外の角度に傾斜していることを特徴とする請求項１に記載のプライス表示具。
【請求項４】
前記プライスカード設置台が、前記凹溝または凸条が設けられる面と、この面を挟む複数の平面と、を備えることを特徴とする請求項１に記載のプライス表示具。
【考案の詳細な説明】
【技術分野】
【０００１】
本考案は、商品の陳列台や陳列棚の上に商品とともに並置されて、その商品のプライス（価格）表示するのに用いるプライス表示具に関する。
【背景技術】
【０００２】
従来からのプライス表示具として、相互に着脱自在の前後のパネルと、両パネル間に順送り可能に軸支された表示体と、この表示体を順送り操作するための操作孔とを設けたものがある。このプライス表示具では、その表示体が、ボビンと、このボビンの両端壁の同心円上に空けられた複数の支持孔と、これらの支持孔間に軸支される表示板と、前記ボビンの一端に固設され、前パネルまたは後パネルに設けられたストッパに係止される一方向歯車と、からなるものがある。
【０００３】
これによれば、操作孔からピンを通して表示体を簡単に順送り操作することができ、これによりプライス表示変更操作の迅速性が改善されるとともに、外部からのいたずら操作も回避できる（例えば、特許文献１参照）。
【特許文献１】実開昭６０‐１５０５８７号公報
【考案の開示】
【考案が解決しようとする課題】
【０００４】
しかしながら、このような従来のプライス表示具にあっては、プライスの表示変更の度に、ペン先やピンなどの尖端状部材を用いて表示体を操作しなければならない。また、このプライス変更操作は面倒であり、この操作にある程度の慣れまたは熟練が必要であるという不都合があった。
【０００５】
本考案はかかる従来の問題点を解決するものであり、商品を陳列する陳列台等の上に載置して、誰もがプライスの表示変更操作を簡単かつ迅速に行うことができるプライス表示具を提供することを目的とする。
【課題を解決するための手段】
【０００６】
前記目的達成のために、本考案にかかるプライス表示具は、プライスカードの設置が可能な矩形断面の凹溝または凸条を持つプライスカード設置台と、前記プライスカードを被うように前記凹溝または凸条に嵌め合わせ可能な透明ブロックと、を備え、前記プライスカード設置台の凹溝または凸条におけるプライスカード設置面が、前記プライスカード設置台底面となる水平面に対し傾斜していることを特徴とする。
【０００７】
この構成により、プライスカード設置台を商品の陳列台等の上に載置し、このプライスカード設置台のプライスカード設置面上に、商品のプライスを表記したプライスカードを設置し、さらにこのプライスカードを介在するように透明ブロックをプライスカード設置台上に嵌め込むという簡単な操作によって、プライスカード上に表記されたプライスが、透明ブロックを通して斜め上方からクリアーに看守可能になる。
【０００８】
また、本考案にかかるプライス表示具は、前記プライスカード設置面が、前記水平面に対して４５度の角度に傾斜していることを特徴とする。
この構成により、プライスカード設置台を前記陳列台上で向きを変えるように倒しても（回転しても）、プライス表示を常に４５度の傾きで行うことができる。
【０００９】
また、本考案にかかるプライス表示具は、前記プライスカード設置面が、前記水平面に対して４５度以外の角度に傾斜していることを特徴とする。
この構成により、プライスカード設置台を前記陳列台上で向きを変えるように倒した（回転させた）場合には、プライス表示を、顧客の視角や身長に合った２方向に行わせることができる。
【００１０】
本考案にかかるプライス表示具は、前記プライスカード設置台が、前記凹溝または凸条が設けられる面と、この面を挟む複数の平面を備えることを特徴とする。
この構成により、前記複数の面のいずれかを陳列台等の平面上に当接させて、この陳列台を安定的に支持することができる。
【考案の効果】
【００１１】
本考案によれば、商品を陳列する陳列台等の上に載置して、誰もがプライスの表示変更操作を簡単かつ迅速に行うことができるという効果が得られる。
【考案を実施するための最良の形態】
【００１２】
以下に、本考案の実施形態を、図面を参照しながら説明する。
本考案の実施形態にかかるプライス表示具は、プライスカードの設置が可能な矩形断面の凹溝または凸条を持つプライスカード設置台と、前記プライスカードを被うように前記凹溝または凸条に嵌め合わせ可能な透明ブロックと、を備えている。そして、前記プライスカード設置台の凹溝または凸条におけるプライスカード設置面が、前記プライスカード設置台底面となる水平面に対し傾斜している。
【００１３】
これにより、プライスカード設置台を商品の陳列台等の上に載置し、このプライスカード設置台のプライスカード設置面上に、商品のプライスを表記したプライスカードを設置し、さらにこのプライスカードを介在するように透明ブロックをプライスカード設置台上に嵌め込むことによって、プライスカード上に表記されたプライスが、透明ブロックを通して斜め上方からクリアーに看守できるものとなる。
【００１４】
このプライス表示具の一実施形態は、図１〜図４に示す通りである。
図１は、この一実施形態によるプライス表示具Ａの全体を示す斜視図、図２は、同じく正面図、図３は、同じく側面図、図４は、図１におけるプライスカード設置台の斜視図である。
【００１５】
図１〜図４において、プライス表示具Ａは、プライスカード設置台１および透明ブロック２から構成されている。これらのうちプライスカード設置台１は、全体として横長の棒状ブロック体からなり、透明または半透明の所定の色調を持った部材により構成される。ここでは、例えば黒またはスモーク調のアクリル樹脂により作られている。
なお、部材の材質は、このアクリル樹脂のほか、木材、石材、金属材料、樹脂などを任意に選択して用いることができる。
【００１６】
このプライスカード設置台１は、図４にも示すように、プライスカードの設置が可能な矩形断面の凹溝３が設けられて、その凹溝３の底面が、平坦なプライスカード設置面３ａとなっている。この凹溝３のうち、プライスカード設置面３ａに直交する二つの平面は、互いに平行な側面３ｂ、３ｃとなっている。また、凹溝３を形成する面は全体に円弧状面をなす。この円弧状面を挟む二つの平面１ａ、１ｂは、互いに直交する平面１ａ、１ｂとなっている。
【００１７】
前記平面１ａの垂直方向の長さと平面１ｂの水平方向の長さはともに等しい。凹溝３における深さ方向の側面３ｂ、３ｃの幅もともに等しい。また、前記プライスカード設置面３ａは、このプライスカード設置台１の図１における底面（平面）１ｂに対して、つまり水平面に対して４５度の角度で傾斜している。
従って、このプライスカード設置台１を、前記垂直の平面１ａが底面となるように、陳列台上に載置した場合にも、プライスカード設置面（平面）３ａは４５度の角度に傾斜することになる。
【００１８】
一方、透明ブロック２は、全体として矩形断面の角棒状ブロック体からなり、無色透明または有色透明のガラスや合成樹脂により作られている。本実施形態ではアクリル樹脂が用いられている。この透明ブロック２は、所定の重量を持ち、前記プライスカード設置台１の凹溝内に嵌め合わせ可能なサイズに形成されている。
【００１９】
この嵌め合わせによって、図３に示すように、プライスカード設置面３ａ上に置かれたプライスカード４を伸長状態にて圧接保持している。なお、このプライスカード４は、プライス表示面が透明ブロック側に向くように置かれる。
【００２０】
かかる構成のプライス表示具Ａは、商品が陳列された陳列台やこの陳列台の上に、図４に示すプライスカード設置台１が置かれ、このプライスカード設置台１のプライスカード設置面３ａにプライスカード４を載置し、その上を被うように透明ブロック２を嵌め込むという操作によって、その商品のプライス表示を行う。
【００２１】
このとき、前記プライスカード４は、凹溝３内において、プライスカード設置面３ａ上に、透明ブロック２によって伸長状態にて圧接保持される。このため、プライスカード４のプライス表示面は斜め上方に向くように傾斜し、透明ブロック２を通して顧客の視線に入りやすくなる。
【００２２】
ここで、プライスカード４は白紙や色紙等のシート状体に黒色やその他の色でプライスを表示したものを用いることができ、このプライス表示は透明ブロック２を通して上方からクリアーに看取することができる。
また、このプライスカード設置台１は、図１における垂直面（平面）１ａを底面とするように陳列台や陳列棚の上に置くことができるため、使い勝手がよく、プライスカード４を前記と同じ傾き（４５度）にして、プライス表示することができる。
【００２３】
本実施形態では、プライスカード設置面３ａを４５度の角度以外の角度（例えば、３０度）に形成した場合には、前記垂直面１ａを底面とした置き方をすることによって、４５度以外の角度（例えば、６０度）でプライスカード４上のプライスを表示することができる。
このように、陳列台上でプライスカード設置台１の底面を置き変えることによって、顧客の身長や視線の高さに合ったプライス表示をすることができる。
【００２４】
次に、本考案の他の実施形態によるプライスカード表示具Ｂを、図５〜図９を参照しながら説明する。図５は、このプライス表示具Ｂの全体を示す斜視図、図６は、同じく正面図、図７は、同じく側面図、図８は、プライスカード設置台の斜視図、図９は、プライス表示具Ｂの他の使用状態を示す側面図である。
【００２５】
このプライスカード表示具Ｂは、プライスカード設置台５および透明ブロック６から構成されている。これらのうち、プライスカード設置台５は全体として横長の棒状ブロック体からなり、透明や半透明の、所定の色調を持つ部材により構成されている。ここでは、例えば黒またはスモーク調のアクリル樹脂により作られている。なお、部材の材質は、このアクリル樹脂以外の木材。石材、金属材料、樹脂などを任意に選択して用いることができる。
【００２６】
また、このプライスカード設置台５は、図８に示すように、プライスカードの設置が可能な矩形断面の凸条７と、これを挟む矩形断面の長切欠８ａ、８ｂが形成されている。この凸条７の上面は平坦面である。
また、このプライスカード設置台５の前記凸条７および長切欠８ａ、８ｂを挟む二つの平面５ａ、５ｂは、陳列台などのプライスカード設置台５の設置平面に対しそれぞれ垂直および水平な面となっている。つまり、二つの面は互いに直交し、これらは前記凸条７および長切欠８ａ、８ｂからなる凹凸面を挟む配置となっている。
【００２７】
さらに、前記長切欠８ａ、８ｂの形状、サイズは等しく、平面５ａは面５ｂに対して短めとなっている。従って、これらの平面面５ａ、５ｂで挟まれる前記凹凸面の傾き、つまり凸条７上面であるプライスカード設置面７ａは４５度の角度以外の角度、例えば３０度の角度で傾斜している。
従って、このプライスカード設置台５を、垂直な平面５ａが底面となるように、陳列台上に載置した場合には、プライスカード設置面７ａは６０度の角度に傾斜することとなる。
【００２８】
一方、透明ブロック６は、全体として凹状断面の棒状ブロック体からなり、無色透明または有色透明のガラスまたは合成樹脂により作られている。本実施形態では、アクリル樹脂が使われている。この透明ブロック６は所定の重量を持ち、前記凹凸面に嵌め合わせ可能なサイズに形成されている。
【００２９】
この透明ブロック６は、プライスカード設置台５の前記凸条７に嵌合する凹溝６ａと、長切欠８ａ、８ｂに嵌合する突状６ｂ、６ｃとを一体に有する。なお、これらの嵌合時においては、必要に応じ、前記凸状７と凹溝６ａの底面（頂面）との間に、プライスカード９をプライスカード設置台５の側方から挿し込むようにして介在できるスペース１０が設けられている。
なお、プライスカード９を側方から差し込むことができるスペース１０を設けない場合には、凸条７上に載せたプライスカード９を透明ブロック６の凹溝６ａの底面によって、伸長状態で圧接保持することが可能になる。
【００３０】
かかる構成のプライスカード表示具Ｂは、商品が陳列された陳列台の上に、プライスカード設置台５が、図５および図７に示すような状態で置かれる。そして、プライスカード設置面７ａである凸条７の上面にプライスカード８を設置し、その上を被うように、透明ブロックの凹溝６ａを凸条７に嵌め込む。
【００３１】
このため、突条６ｂ、６ｃはプライスカード設置台６の長切欠８ａ、８ｂに嵌まり込んで、前記プライスカード９に印刷されたプライスが透明ブロックを通して斜め上方からクリアーに看取することができる。
なお、プライスカード９は前記プライスカード４と同様のものであり、紙や合成樹脂シートなどを基体として、これにプライスが印刷される。
【００３２】
また、プライスカード設置台５は、全体として直交する二つの面５ａ、５ｂを持つことから、図９に示すように、垂直面（平面）５ａを底面として陳列台等の上に載置することができる。この場合には、凸条７の上面がこれまでの、例えば３０度の角度から６０度の角度に傾斜することとなる。従って、透明ブロック６を通して看取するプライスカードのプライス表示も同様に傾斜する。
【００３３】
このような傾斜角度は、例えば商品を載せた陳列台が高い位置にある場合などに適する。このように、陳列台の高さに応じてプライスカード設置台５を平面５ａまたは面５ｂがそれぞれ底面となるように陳列台に載置することで、顧客の視覚に合ったプライス表示とすることができる。
【００３４】
以上のように、本実施形態のプライス表示具は、プライスカード４、９の設置が可能な矩形断面の凹溝３または凸条７を持つプライスカード設置台１、５と、前記プライスカード４、９を被うように凹溝３または凸条７に嵌め合わせ可能な透明ブロック２、６と、を設けて、前記プライスカード設置台１、５の凹溝３または凸条７におけるプライスカード設置面３ａ、７ａを、プライスカード設置台１、５底面となる水平面に対し傾斜するようにしたことで、プライスカード４、９を介在するように透明ブロック２、６をプライスカード設置台１、５上に嵌め込むという簡単な操作によって、プライスカード４、９上に表記されたプライスを、透明ブロック２、６を通して斜め上方からクリアーに看守することができる。
【産業上の利用可能性】
【００３５】
本考案によれば、商品を陳列する陳列台等の上に載置して、誰もがプライスの表示変更操作を簡単かつ迅速に行うことができるという効果を有し、商品の陳列台や陳列棚の上に商品とともに並置されて、その商品のプライス表示するのに用いるプライス表示具等として有用である。
【図面の簡単な説明】
【００３６】
【図１】本考案の一実施形態によるプライス表示具を示す斜視図である。
【図２】図１に示すプライス表示具の正面図である。
【図３】図１に示すプライス表示具の側面図である。
【図４】図１におけるプライスカード設置台を示す側面図である。
【図５】本考案の他の実施形態によるプライス表示具を示す斜視図である。
【図６】図５に示すプライス表示具の正面図である。
【図７】図５に示すプライス表示具の側面図である。
【図８】図５におけるプライスカード設置台を示す側面図である。
【図９】図７に示すプライスカード設置面の傾きを変えた状態のプライス表示具の側面図である。
【符号の説明】
【００３７】
Ａ、Ｂ  プライス表示具
１，５  プライスカード設置台
２、６  透明ブロック
３  凹溝
３ａ、７ａ  プライスカード設置面
４、９  プライスカード
７  凸条
【図１】
0003129876.tif 000003
【図２】
0003129876.tif 000004
【図３】
0003129876.tif 000005
【図４】
0003129876.tif 000006
【図５】
0003129876.tif 000007
【図６】
0003129876.tif 000008
【図７】
0003129876.tif 000009
【図８】
0003129876.tif 000010
【図９】
0003129876.tif 000011